(57)【要約】【課題】      釣り場で滑り防止ができると共に持ち運びで手元に引き寄せ易い釣り用バケツを提供すること。【解決手段】  バケツ本体１の側面部１ｂの一側に蓋体２がヒンジ部２ａで開閉自在に取り付けられると共に、側面部１ｂの他側側（ヒンジ部２ａの対向側）の蓋体２の上面には雌スナップ状の止め具１２が固定され、蓋体２の裏面２ｂで他側側２ｃ（ヒンジ部２ａの対向側）には接地部材４が固定されている。  バケツ本体１から開かれた蓋体２はヒンジ部２ａで側面部１ｂに沿って下方に垂れ下げられ、長手方向の中程が折り曲げられて底部１ｃに向けて反転されて底部１ｃの半分を覆うように折り曲げて重ねられる。  接地部材４は蓋体２の材質より柔らかいゴムなどの柔軟性の有る材料で形成されて釣り用バケツが置かれる場所の接地面の凹凸に合わせて変形される。【選択図】        図３
2005168433.tif 000002
【特許請求の範囲】
【請求項１】
上方に開口を有するバケツ本体に前記開口を開閉する蓋体を取り付けた釣り用バケツにおいて、前記蓋体はバケツ本体の開口側から底面側に反転可能に取り付けると共に、前記蓋体の裏面に接地部材を取り付けたことを特徴とする釣り用バケツ。
【請求項２】
接地部材は蓋体の裏面に設けた凸状部材であることを特徴とする請求項１記載の釣り用バケツ。
【請求項３】
接地部材は滑り止めシ−トからなることを特徴とする請求項１記載の釣り用バケツ。
【請求項４】
接地部材はその表面に蓋体裏面より大きな凸を有するシ−ト材であることを特徴とする請求項３記載の釣り用バケツ。
【請求項５】
接地部材は蓋体より柔らかい材料から成ることを特徴とする請求項３記載の釣り用バケツ。
【請求項６】
蓋体は底面側に反転した状態でバケツ本体に保持される止め具を有していることを特徴とする請求項１乃至５記載の釣り用バケツ。
【発明の詳細な説明】
【技術分野】
【０００１】
本発明は、バケツ本体の開口を塞ぐ蓋体を設けた釣り用バケツの改良に関する。
【背景技術】
【０００２】
従来の釣り用バケツは、バケツ本体の底面に滑り止め等の接地用部材を取り付けていた。
例えば、特許文献１には、容器の底面に多数の凸を有する滑り止めが設けられている。
【特許文献１】実用新案登録第３００３４４９号公報
【発明の開示】
【発明が解決しようとする課題】
【０００３】
解決しようとする問題点は、特許文献１のような釣り用バケツは、釣り場で使用しているときに底部が補強され壊れにくかったり、滑りが防止されたりしているが、釣り場まで持ち運ぶ間は、車のトランクや、船上に置かれた他の荷物の間から引きずり出すことがしばしばあり、このようなときに容器の底面の多数の凸が邪魔をして、すぐに釣り用バケツを取り出すことが困難であつた。
【０００４】
本発明の目的は前記欠点に鑑み、釣り場で滑り防止ができると共に持ち運びで手元に引き寄せ易い釣り用バケツを提供することである。
【課題を解決するための手段】
【０００５】
本発明の請求項１は、上方に開口を有するバケツ本体に前記開口を開閉する蓋体を取り付けた釣り用バケツにおいて、前記蓋体はバケツ本体の開口側から底面側に反転可能に取り付けると共に、前記蓋体の裏面に接地部材を取り付けたことを要旨とするものである。
本発明の請求項２は、接地部材は蓋体の裏面に設けた凸状部材であることを要旨とするものである。
本発明の請求項３は、接地部材は滑り止めシ−トからなることを要旨とするものである。
本発明の請求項４は、接地部材はその表面に蓋体裏面より大きな凸を有するシ−ト材であることを要旨とするものである。
本発明の請求項５は、接地部材は蓋体より柔らかい材料から成ることを要旨とするものである。
本発明の請求項６は、蓋体は底面側に反転した状態でバケツ本体に保持される止め具を有していることを要旨とするものである。
【発明の効果】
【０００６】
本発明により、釣り用バケツを釣り場で使用しているときには地面に置いた釣り用バケツの滑りを防止することができ、釣り場まで持ち運ぶ間は、接地した底部を滑らせて容易に手元に引きずり寄せることができる。
【発明を実施するための最良の形態】
【０００７】
バケツ本体１の側面部１ｂの一側に成型タイプの蓋体２がヒンジ部２ａで開閉自在に取り付けられると共に、上部開口１ａ側の側面部１ｂの開口周縁と蓋体２の開口周縁にチャック３が取り付けられて開閉自在となっている。
側面部１ｂの他側側（ヒンジ部２ａの対向側）の蓋体２の上面には雌スナップ状の止め具１２が固定され、蓋体２の裏面２ｂで他側側２ｃ（ヒンジ部２ａの対向側）には接地部材４が固定されている。
バケツ本体１から開かれた蓋体２はヒンジ部２ａで側面部１ｂに沿って下方に垂れ下げられ、長手方向の中程が折り曲げられて底部１ｃに向けて反転されて底部１ｃの半分を覆うように折り曲げて重ねられ、底部１ｃの雄スナップ状の止め具１１に蓋体２の雌スナップ状の止め具１２が係合される。
接地部材４は釣り場で釣り用バケツが置かれる場所に接地される。
接地部材４は蓋体２の材質より柔らかいゴムなどの柔軟性の有る材料で形成されて釣り用バケツが置かれる場所の接地面の凹凸に合わせて変形される。
【実施例１】
【０００８】
以下、図示の実施例によって本発明を説明すると、図１から図４は第１実施例で、図１は釣り用バケツの斜視図、図２は釣り用バケツのバケツ本体の断面側面図と一部拡大断面側面図、図３は蓋体が底面側に反転されたバケツ本体の断面側面図で（ａ）はヒンジ部位置の一部拡大断面側面図で（ｂ）は底面側の一部拡大断面側面図、図４は蓋体が底面側に反転された釣り用バケツの斜視図である。
【０００９】
釣り用バケツは、バケツ本体１の上部開口１ａが矩形で、側面部１ｂと底部１ｃが、例えばエチレン酢酸ビニ−ルや塩化ビニ−ル等の合成樹脂製シ−トを用いて一体、もしくは、複数のシ−トを溶着等で接合して形成されて防水性と柔軟性を有し、折り畳み可能に形成されている。
釣り用バケツは道具入れであったり、コマセ餌を作るバケツであったり、魚を入れる容器である。
側面部１ｂの開口縁に金属線１０がシ−ト材で包み込まれて設けられ、側面部１ｂは開口１ａにおいて金属線１０にて内側から外側へ折り返されて折り返し部１ｄが側面部１ｂに縫着や溶着等で固定されている。
底部１ｃの長手方向の中程より一側側に雄スナップ状の止め具１１が固定されている。
【００１０】
矩形の開口１ａの短辺の近傍である側面部１ｂの一側に柔軟性を有する合成樹脂シ−トを成形した蓋体２がヒンジ部２ａで開閉自在に取り付けられると共に、上部開口１ａ側の側面部１ｂの開口周縁と蓋体２の開口周縁にチャック３が取り付けられて開閉自在となっている。
蓋体２はヒンジ部２ａにて反転させた時底部１ｃに達するように形成されている。
側面部１ｂの他側側（ヒンジ部２ａの対向側）の蓋体２の上面には雌スナップ状の止め具１２が固定されている。
蓋体２の裏面２ｂで他側側２ｃ（ヒンジ部２ａの対向側）には接地部材４が固定されている。
バケツ本体１から開かれた蓋体２はヒンジ部２ａで側面部１ｂに沿って下方に垂れ下げられ、長手方向の中程が折り曲げられて底部１ｃに向けて反転されて底部１ｃの半分を覆うように折り曲げて重ねられ、底部１ｃの雄スナップ状の止め具１１に蓋体２の雌スナップ状の止め具１２が係合される。
接地部材４は釣り場で釣り用バケツが置かれる場所に接地される。
接地部材４は蓋体２の裏面２ｂより摩擦係数が大きく蓋体２の材質より柔らかい材料からなり、ゴムなどの柔軟性の有る材料で形成されて釣り用バケツが置かれる場所の接地面の凹凸に合わせて変形される。
【００１１】
釣り用バケツを釣り場に運ぶ時は、図１のように蓋体２を閉じて運ばれる。
この時底部１ｃは平面で形成されているので、置いてある位置から手元に引き寄せる時ハンドル１３等を掴んで容易に引き寄せることができる。
釣り場で蓋体２を開けた後は蓋体２を開口１ａ側から底部１ｃの底面側に向けて反転させて止め具１１と止め具１２の係合で係止すると、バケツ本体１に対して接地部材４が移動せず、バケツ本体１は接地部材４で釣り用バケツが置かれる場所に接地されて滑り止めされる。
【００１２】
前記のように釣り用バケツが構成されると、釣り用バケツを釣り場で使用しているときには蓋体２を開いて撒き餌等の収納物の取り出しを容易にしながら、釣り用バケツが滑って移動することが防止でき、また、底部１ｃの破損や滑りが防止することができる。
さらに、釣り場まで持ち運ぶ間は、蓋体２を閉じて、底部１ｃにて接地するため容易に手元に引きずり寄せることができる。
【実施例２】
【００１３】
図５は第２実施例で、図５は釣り用バケツのバケツ本体の底部に向けて蓋体が反転された断面側面図である。
【００１４】
第２実施例では、蓋体２の裏面２ｂで他側側２ｃ（ヒンジ部２ａの対向側）には接地部材５が固定されている。
接地部材５は蓋体２より硬い材料で形成し、例えば、ゴムや合成樹脂や金属で釣り場の接地面に食い込むように突起５ａが形成された凸状部材で構成されている。
接地部材５は分割されて複数個設けてもよい。
他の構成は前記第１実施例と略同一である。
【実施例３】
【００１５】
図６は第３実施例で、図６は釣り用バケツのバケツ本体の底部に向けて蓋体が反転された断面側面図である。
【００１６】
第３実施例では、蓋体２の裏面２ｂで他側側２ｃ（ヒンジ部２ａの対向側）には接地部材６が固定されている。
接地部材６はゴムや合成樹脂等の第１実施例と同様に蓋体２より軟らかい材料で形成し、その表面に凹凸６ａが形成された凸状部材で構成され、この凹凸６ａでさらに滑りが防止されている。
他の構成は前記第１実施例と略同一である。
【００１７】
図７、図８は第４実施例で、図７は釣り用バケツの断面側面図、図８は釣り用バケツのバケツ本体の底部に向けて蓋体が反転された断面側面図である。
【００１８】
第４実施例では、蓋体２の裏面２ｂで他側側２ｃ（ヒンジ部２ａの対向側）には接地部材４が固定されると共に、他側側２ｃの裏面２ｂに保持シ−ト７の一端７ａが固定されている。
保持シ−ト７には接地部材８が固定され、保持シ−ト７の他端７ｂは蓋体２の裏面２ｂにまで延びて裏面２ｂと他端７ｂに夫々ベルベット式ファスナ等の止め具１４、１５が固定されている。
他の構成は前記第１実施例と略同一である。
【００１９】
釣り場で蓋体２を開けた後は蓋体２を開口１ａ側から底部１ｃの底面側に向けて反転させて止め具１１と止め具１２の係合で係止され、更に保持シ−ト７と接地部材８が展開されて底部１ｃの底面全部が接地部材４と接地部材８で覆われる。
保持シ−ト７の他端７ｂは底部１ｃに適宜方法で係止される。
【００２０】
前記各実施例の説明では、止め具１１、１２にスナップ状の止め具で述べたが、互いに係合すれば何でも良く、スナップに限らず例えば、それぞれ雄、雌のベルベット式ファスナでも良い。
【産業上の利用可能性】
【００２１】
釣り用のバケツ全般に実施できる。
【図面の簡単な説明】
【００２２】
【図１】第１実施例で、釣り用バケツの斜視図である。
【図２】同釣り用バケツのバケツ本体の断面側面図と一部拡大断面側面図である。
【図３】同蓋体が底面側に反転されたバケツ本体の断面側面図で（ａ）はヒンジ部位置の一部拡大断面側面図で（ｂ）は底面側の一部拡大断面側面図である。
【図４】同蓋体が底面側に反転された釣り用バケツの斜視図である。
【図５】第２実施例で、釣り用バケツのバケツ本体の底部に向けて蓋体が反転された断面側面図である。
【図６】第３実施例で、釣り用バケツのバケツ本体の底部に向けて蓋体が反転された断面側面図である。
【図７】第４実施例で、釣り用バケツの断面側面図である。
【図８】同釣り用バケツのバケツ本体の底部に向けて蓋体が反転された断面側面図である。
【符号の説明】
【００２３】
１  バケツ本体
１ａ  開口
２  蓋体
２ａ  ヒンジ部
４、５、６、８  接地部材
１１、１２  止め具
【図１】
2005168433.tif 000003
【図２】
2005168433.tif 000004
【図３】
2005168433.tif 000005
【図４】
2005168433.tif 000006
【図５】
2005168433.tif 000007
【図６】
2005168433.tif 000008
【図７】
2005168433.tif 000009
【図８】
2005168433.tif 000010